(57)【要約】【課題】  生産目的希少糖を含む希少糖類同志の混合物からなる原液から生産目的希少糖のみを高純度かつ高回収率で分離できる方法を提供すること。【解決手段】  異性化を触媒する酵素の作用で基質希少糖から目的希少糖へ変換し、得られる原液を擬似移動層により連続的に目的希少糖画分としてクロマト分離することを特徴とする精製希少糖の大量生産方法。基質希少糖Ｄ−プシコースから目的希少糖の精製Ｄ−アロースを製造するのに適用する。上記原液として、基質糖にPseudomonas stutzeri 由来のL-ラムノースイソメラーゼを作用させて得た原液を用いる。【選択図】        図４
2006153591.tif 000002
【特許請求の範囲】
【請求項１】
異性化を触媒する酵素の作用で基質希少糖から目的希少糖へ変換し、得られる原液を擬似移動層により連続的に目的希少糖画分としてクロマト分離することを特徴とする精製希少糖の大量生産方法。
【請求項２】
基質希少糖Ｄ−プシコースから目的希少糖の精製Ｄ−アロースを製造する請求項１の精製希少糖の大量生産方法。
【請求項３】
クロマト分離が、目的希少糖と基質希少糖を含む原液から、溶離液として水を用いて目的希少糖を多く含む目的希少糖画分と基質希少糖を多く含む基質希少糖画分とにクロマト分離する方法であって、基質希少糖と目的希少糖に対し選択的吸着能力を有する吸着剤としてカルシウム形の陽イオン交換樹脂が充填された複数の充填塔を直列かつ無端に連結して原液および溶離液が循環可能な循環系を形成し、該循環系に、糖濃度が４０％以上、目的希少糖組成が２０％以上の原液、および溶離液を供給し、前記循環系を、溶離液供給部から目的希少糖画分抜出部までの目的希少糖の脱着帯域、目的希少糖画分抜出部から原液供給部までの目的希少糖の濃縮帯域、原液供給部から基質希少糖画分抜出部までの基質希少糖の吸着帯域、基質希少糖画分抜出部から溶離液供給部までの基質的希少糖の回収帯域の４つの帯域に区分し、各供給部および各抜出部を所定の位置関係を保ちつつ順次循環方向下流側に移行させることにより吸着剤の擬似移動層を形成して、循環液を目的希少糖画分と基質希少糖画分とに連続的にクロマト分離する請求項１または２の精製希少糖の大量生産方法。
【請求項４】
分離した基質希少糖画分を原液の製造工程に回収する請求項３の精製希少糖の大量生産方法。
【請求項５】
下記配列番号(ａ)または
(ｂ)に示されるアミノ酸配列からなるタンパク質からなる異性化を触媒する酵素の作用で基質糖から目的希少糖へ変換し、得られる原液を擬似移動層により連続的に目的希少糖画分としてクロマト分離することを特徴とする精製希少糖の大量生産方法。
(ａ)配列番号１に示されるアミノ酸配列からなるタンパク質。
(ｂ)配列番号１に示されるアミノ酸配列において、１若しくは数個のアミノ酸が欠失、置換若しくは付加されたアミノ酸配列からなり、かつ、L-ラムノースイソメラーゼ活性を有するタンパク質。
【請求項６】
上記酵素が、Pseudomonas stutzeri 由来のL-ラムノースイソメラーゼである請求項５の精製希少糖の大量生産方法。
【請求項７】
目的希少糖がＤ−アロースまたはＤ−プシコースである請求項５または６の精製希少糖の大量生産方法。
【請求項８】
クロマト分離が、目的希少糖と基質糖を含む原液から、溶離液として水を用いて目的希少糖を多く含む目的希少糖画分と基質糖を多く含む基質糖画分とにクロマト分離する方法であって、基質糖と目的希少糖に対し選択的吸着能力を有する吸着剤としてカルシウム形の陽イオン交換樹脂が充填された複数の充填塔を直列かつ無端に連結して原液および溶離液が循環可能な循環系を形成し、該循環系に、糖濃度が４０％以上、目的希少糖組成が２０％以上の原液、および溶離液を供給し、前記循環系を、溶離液供給部から目的希少糖画分抜出部までの目的希少糖の脱着帯域、目的希少糖画分抜出部から原液供給部までの目的希少糖の濃縮帯域、原液供給部から基質糖画分抜出部までの基質糖の吸着帯域、基質糖画分抜出部から溶離液供給部までの基質糖の回収帯域の４つの帯域に区分し、各供給部および各抜出部を所定の位置関係を保ちつつ順次循環方向下流側に移行させることにより吸着剤の擬似移動層を形成して、循環液を目的希少糖画分と基質糖画分とに連続的にクロマト分離する請求項５、６または７の精製希少糖の大量生産方法。
【請求項９】
分離した基質糖画分を原液の製造工程に回収する請求項８の精製希少糖の大量生産方法。
【請求項１０】
請求項３、４、８または９の方法を用いて、高純度かつ高回収率で目的希少糖を連続的に製造することを特徴とする精製希少糖の大量生産方法。
【請求項１１】
クロマト分離で得られた目的希少糖の溶液から目的希少糖を結晶として回収する請求項１ないし１０のいずれかの精製希少糖の大量生産方法。
【発明の詳細な説明】
【技術分野】
【０００１】
本発明は、異性化反応により得られた希少糖混合溶液から目的希少糖を精製した形で分離する精製希少糖の大量生産方法、特に希少糖類の一つとしてその特性や機能性が注目される精製アロースの大量生産方法に関する。
【背景技術】
【０００２】
従来より、２成分以上を含有する原液中の特定成分を分離する方法として、擬似移動層式クロマト分離装置を用いた分離方法が知られている。この擬似移動層式クロマト分離装置は、代表的には原液中に含まれる２成分以上の成分中の特定成分に対して選択的吸着能力を有する吸着剤を充填した多数の充填塔を配管で直列に連結するとともに、最後部の充填塔と最前部の充填塔を配管で連結することによって、全体を無端に連結した充填塔群の系として形成した装置において、原液の供給、溶離液の供給、および非吸着液（つまり、吸着剤に対し吸着能力の低い非吸着物質を多く含む画分）の抜き出し、吸着液（つまり、吸着剤に対し吸着能力の高い吸着物質を多く含む画分）の抜き出しの各位置関係を一定に保ちながら、これらの位置を経時的に系内循環方向下流側に順次移行させることで、吸着剤の実際の移動を行わずに吸着剤が移動するのと同等の機能を発揮させ、移動層の処理操作を擬似的に実現する装置であることはよく知られている。このような擬似移動層式クロマト分離装置を用いて、糖類を含む原液からグルコースやフルクトースを含む画分を分離するようにした技術も知られている。この擬似移動層式のクロマト分離技術を用いて、プシコースとフルクトースを含む溶液からプシコースを高純度、高回収率で連続的に分離する方法が開発されている（特許文献１）。
【０００３】
一方、新規な触媒機能を有する酵素、Pseudomonas stutzeri の生産するL-ラムノースイソメラーゼをコードする遺伝子配列を明らかとした（特許文献２）。希少糖戦略の中で、多種類の希少アルドースに作用し、多種類の希少ケトースを生産するために最も効率のよいイソメラーゼを得ることによって、多種類の希少糖を生産する反応系を確立した。これにより希少糖の生理活性探索に弾みがつき希少糖類の特性や機能性が次々と明らかにされて来ている。
【特許文献１】特開２００１−３５４６９０号公報
【特許文献２】ＷＯ  ２００４/０６３３６９  Ａ１
【発明の開示】
【発明が解決しようとする課題】
【０００４】
しかし、希少糖類の一つとしてその特性や機能性が注目されるアロースをプシコースを原料として生産した場合、アロースおよびプシコースの混合物として得られるところ、希少糖類を生産対象糖類として、それを希少糖類同志の混合物から生産対象希少糖のみを大量に分離生産する技術は知られていない。
本発明は、生産することを目的とする希少糖を含む希少糖類同志の混合物からなる原液、あるいは、特定の酵素を用いて異性化した生産することを目的とする希少糖を含む原液を擬似移動層により連続的に目的希少糖画分としてクロマト分離する精製希少糖の大量生産方法を提供することを目的とする。
より具体的には，本発明は、従来主として除去対象とされていた希少糖類のアロースの特性や機能性に着目し、アロースとプシコースを含む原液から、擬似移動層を用いて特定の条件で操作することにより、高純度かつ高回収率でプシコースを含む溶液を分離できる方法を提供することを目的とする。
【課題を解決するための手段】
【０００５】
本発明は、以下の（１）〜（１１）の精製希少糖の大量生産方法を要旨とする。
（１）異性化を触媒する酵素の作用で基質希少糖から目的希少糖へ変換し、得られる原液を擬似移動層により連続的に目的希少糖画分としてクロマト分離することを特徴とする精製希少糖の大量生産方法。
（２）基質希少糖Ｄ−プシコースから目的希少糖の精製Ｄ−アロースを製造する上記（１）の精製希少糖の大量生産方法。
（３）クロマト分離が、目的希少糖と基質希少糖を含む原液から、溶離液として水を用いて目的希少糖を多く含む目的希少糖画分と基質希少糖を多く含む基質希少糖画分とにクロマト分離する方法であって、基質希少糖と目的希少糖に対し選択的吸着能力を有する吸着剤としてカルシウム形の陽イオン交換樹脂が充填された複数の充填塔を直列かつ無端に連結して原液および溶離液が循環可能な循環系を形成し、該循環系に、糖濃度が４０％以上、目的希少糖組成が２０％以上の原液、および溶離液を供給し、前記循環系を、溶離液供給部から目的希少糖画分抜出部までの目的希少糖の脱着帯域、目的希少糖画分抜出部から原液供給部までの目的希少糖の濃縮帯域、原液供給部から基質希少糖画分抜出部までの基質希少糖の吸着帯域、基質希少糖画分抜出部から溶離液供給部までの基質希少糖の回収帯域の４つの帯域に区分し、各供給部および各抜出部を所定の位置関係を保ちつつ順次循環方向下流側に移行させることにより吸着剤の擬似移動層を形成して、循環液を目的希少糖画分と基質希少糖画分とに連続的にクロマト分離する上記（１）または（２）の精製希少糖の大量生産方法。
（４）分離した基質希少糖画分を原液の製造工程に回収する上記（３）の精製希少糖の大量生産方法。
（５）下記配列番号(ａ)または (ｂ)に示されるアミノ酸配列からなるタンパク質からなる異性化を触媒する酵素の作用で基質糖から目的希少糖へ変換し、得られる原液を擬似移動層により連続的に目的希少糖画分としてクロマト分離することを特徴とする精製希少糖の大量生産方法。
(ａ)配列番号１に示されるアミノ酸配列からなるタンパク質。
(ｂ)配列番号１に示されるアミノ酸配列において、１若しくは数個のアミノ酸が欠失、置換若しくは付加されたアミノ酸配列からなり、かつ、L-ラムノースイソメラーゼ活性を有するタンパク質。
（６）上記酵素が、Pseudomonas stutzeri 由来のL-ラムノースイソメラーゼである上記（５）の精製希少糖の大量生産方法。
（７）目的希少糖がＤ−アロースまたはＤ−プシコースである上記（５）または（６）の精製希少糖の大量生産方法。
（８）クロマト分離が、目的希少糖と基質糖を含む原液から、溶離液として水を用いて目的希少糖を多く含む目的希少糖画分と基質糖を多く含む基質糖画分とにクロマト分離する方法であって、基質糖と目的希少糖に対し選択的吸着能力を有する吸着剤としてカルシウム形の陽イオン交換樹脂が充填された複数の充填塔を直列かつ無端に連結して原液および溶離液が循環可能な循環系を形成し、該循環系に、糖濃度が４０％以上、目的希少糖組成が２０％以上の原液、および溶離液を供給し、前記循環系を、溶離液供給部から目的希少糖画分抜出部までの目的希少糖の脱着帯域、目的希少糖画分抜出部から原液供給部までの目的希少糖の濃縮帯域、原液供給部から基質糖画分抜出部までの基質糖の吸着帯域、基質糖画分抜出部から溶離液供給部までの基質糖の回収帯域の４つの帯域に区分し、各供給部および各抜出部を所定の位置関係を保ちつつ順次循環方向下流側に移行させることにより吸着剤の擬似移動層を形成して、循環液を目的希少糖画分と基質糖画分とに連続的にクロマト分離する上記（５）、（６）または（７）の精製希少糖の大量生産方法。
（９）分離した基質糖画分を原液の製造工程に回収する上記（８）の精製希少糖の大量生産方法。
（１０）上記（３）、（４）、（８）または（９）の方法を用いて、高純度かつ高回収率で目的希少糖を連続的に製造することを特徴とする精製希少糖の大量生産方法。
（１１）クロマト分離で得られた目的希少糖の溶液から目的希少糖を結晶として回収する上記（１）ないし（１０）のいずれかの精製希少糖の大量生産方法。
【発明の効果】
【０００６】
本発明は、希少糖類を生産対象糖類として、それを希少糖類同志の混合物から生産対象希少糖のみを大量に分離生産する、あるいは特定のイソメラーゼを基質糖に作用させて異性化した生産対象希少糖を含む原液から生産対象希少糖のみを大量に分離生産する、精製希少糖の大量生産方法を提供することを目的とする。
特に希少糖類の一つとしてその特性や機能性が注目される精製アロースの大量生産方法によれば、次のような優れた効果が得られる。
（１）原液の品質を何ら損なうことなく原液より高純度のアロース溶液を得ることができる。
（２）原液の品質を何ら損なうことなく原液よりアロースを高回収率で分離、回収できる。
（３）試薬を用いることなく分離、回収ができ、安いランニングコストで実施することができる。
（４）連続的にまた工業的に実施することができる。
【発明を実施するための最良の形態】
【０００７】
本発明者らは、二種類の希少糖を含む溶液、アロースとプシコースを含む溶液から生産を目的とする希少糖アロースを高純度の目的希少糖アロースの溶液として高回収率で分離する方法について検討した結果、原液糖濃度が４０％（全溶液中の重量％、以下同様）以上、目的希少糖アロース組成が２０％（全固形分中の重量％、以下同様）以上の溶液を擬似移動層により連続的にクロマト分離することにより工業的に有効な高純度、高回収率で目的希少糖アロース溶液を連続的に大量生産できることを見いだし、本発明に到達したものである。
【０００８】
すなわち、本発明の好ましい態様である精製アロースの大量生産方法は、アロースとプシコースを含む原液から、溶離液として水を用いてアロースを多く含むアロース画分とプシコースを多く含むプシコース画分とにクロマト分離する方法において、アロースとプシコースに対し選択的吸着能力を有する吸着剤としてカルシウムイオンを有するカルシウム形の陽イオン交換樹脂が充填された複数の充填塔を直列かつ無端に連結して原液および溶離液が循環可能な循環系を形成し、該循環系に、糖濃度が４０％以上、アロース組成が２０％以上の原液、および溶離液を供給し、前記循環系を、溶離液供給部からアロース画分抜出部までのアロースの脱着帯域、アロース画分抜出部から原液供給部までのアロースの濃縮帯域、原液供給部からプシコース画分抜出部までのプシコースの吸着帯域、プシコース画分抜出部から溶離液供給部までのプシコースの回収帯域の４つの帯域に区分し、各供給部および各抜出部を所定の位置関係を保ちつつ順次循環方向下流側に移行させることにより吸着剤の擬似移動層を形成して、循環液をアロース画分とプシコース画分とに連続的にクロマト分離することを特徴とする方法からなる。
【０００９】
このアロースの分離方法においては、分離したプシコース画分を原液の製造工程に回収して再利用することも可能である。本発明に係るアロースの製造方法は、上記のようなアロースの分離方法を用いて、高純度かつ高回収率でアロースを連続的に製造することを特徴とする方法からなる。この方法により、高純度のアロースを工業的規模で大量生産することが可能になる。さらに、クロマト分離で得られたアロースの溶液からアロースを結晶として回収することができる。たとえば、アロースのアルコールに難溶性の性質を利用してアロースを結晶化させアロース結晶を分離することができる。
【００１０】
本発明で使用する異性化を触媒する酵素L-ラムノースイソメラーゼは、L-ラムノースからL-ラムニュロースへの異性化反応、ならびに、L-ラムニュロースからL-ラムノースへの異性化を触媒する酵素である。L-ラムノースイソメラーゼの種類は限定されないが、本発明ではD−プシコースからD−アロースを生産することができる酵素Pseudomonas stutzeri由来の「L−ラムノースイソメラーゼ」を好ましいものとして例示される。L−ラムノースイソメラーゼは、「ジャーナル・オブ・ファーメンテーション・アンド・バイオエンジニアリング（Journal of Fermentation and Bioengineering）」第85巻、539乃至541頁（1998年）で発表された公知酵素である。Pseudomonas stutzeri に属する菌株「Pseudomonas stutzeri LL172」は、日本国独立行政法人産業技術総合研究所  特許生物寄託センター（日本国茨城県つくば市東１−１−１  中央第６）に２００４年１月６日に国際寄託している（IPOD FERM BP-08593）が、それ由来のL-ラムノースイソメラーゼは配列番号１に記載されるアミノ酸配列、またはそのアミノ酸配列の中の１個以上のアミノ酸が他のアミノ酸で置換され、欠失され、１個以上のアミノ酸が付加されてなるアミノ酸配列を有し、以下の物理化学的性質を有する酵素である（WO
2004/063369）。
（イ）作用ｐＨおよび至適ｐＨ
作用ｐＨは７．０〜１０．０であり、至適ｐＨは９．０である。
（ロ）ｐＨ安定性
種々のｐＨで４℃、１時間保持した場合、ｐＨ６．０〜１１．０の範囲で安定である。
（ハ）作用温度および至適温度
作用温度は４０〜６５℃であり、至適温度は６０℃である。
（ニ）温度安定性
４０℃、１０分では安定しており、５０℃、１０分でも９０％以上残存している。
（ホ）キレート剤の影響
キレート剤であるＥＤＴＡ、ＥＧＴＡを活性測定時に共存させても、ほとんど活性は阻害されない。
（ヘ）金属イオンの影響
１ｍＭのコバルトイオンにより約３０％阻害される。
（ト）ＳＤＳ−ＰＡＧＥ法による分子量
約４３，０００である。
【００１１】
通常、得られた培養菌体からL−ラムノースイソメラーゼを抽出し、そのままで反応に用いることができるが、好ましくは固定化した形態で用いる。固定化の対象とするL−ラムノースイソメラーゼそのものは、使用目的に応じて、必ずしも高純度に精製されたものでなくてもよく、粗酵素であっても用いることができる。粗酵素の具体的例としては、上記のL−ラムノースイソメラーゼ産生能を有する微生物自体を、また、その培養物や部分精製した培養物を用いることができる。
【００１２】
本発明により、異性化を触媒する酵素の作用で基質L-ラムノースまたはL-ラムニュロースから目的希少糖L-ラムニュロースまたはL-ラムノースへ変換し、得られる原液溶液を擬似移動層により連続的にクロマト分離することにより工業的に有効な高純度、高回収率で目的希少糖溶液を連続的に大量生産する。イズモリング（登録商標）を用いて異性化反応を整理した。Ｌ−ラムノースイソメラーゼの全ての異性化反応は、イズモリングの図１、図２、図３に示される。基質特異性は表１、表２、表３に示される。L-ラムノースおよびL-ラムニュロースを基質とする。のみならず、Ｌ−リキソースおよびＬ−キシルロース、Ｌ−マンノースおよびＬ−フラクトース、Ｄ−リボースおよびＤ−リブロース、Ｄ−アロースおよびＤ−プシコースを基質とする。図１、図２、図３よりＬ−ラムノースイソメラーゼが単糖の多くを基質とすることが理解できる。すなわち、活性の大小はあるものの、Ｌ−ラムノースイソメラーゼが触媒することが確認された異性化反応は図１中太い黒線で示したものである。一方、異性化反応が確認できなかったものは、太い点線で示した４種であることが一目瞭然に理解できる。また、図２、図３に示すように、これも活性の大小はあるものの、ペントースおよびテトロースにおける全異性化活性を持つことを示している。
【００１３】
【表１】
2006153591.tif 000003
【００１４】
【表２】
2006153591.tif 000004
【００１５】
【表３】
2006153591.tif 000005
【００１６】
目的希少糖がD-アロースである場合について説明する。D-アロースは、希少糖研究の中で特に各種生理活性を有することが判明してきた希少糖である。希少糖とは、自然界に微量にしか存在しない単糖および糖アルコールと定義づけることができる。自然界に多量に存在する単糖は、D-グルコース、D-フラクトース、D-ガラクトース、D-マンノース、D-リボース、D-キシロース、L-アラビノースの７種類あり、それ以外の単糖は全て希少糖である。また糖アルコールは単糖を還元してできるが、自然界にはD-ソルビトールが比較的多いがそれ以外のものは量的には少ないので、これらも希少糖と考えられる。    
D-アロース（D-アロヘキソース）は、アルドース（アルドヘキソース）に分類されるアロースのD体であり、融点が178℃の六炭糖（C6H12O6）である。
【００１７】
このD-アロースの製法としては、上記L-ラムノースイソメラーゼを用いてD-プシコースから合成する製法によれば、D-アロースを生成する場合には、未反応のD-プシコースと共に、新たに生成したD-アロースを含有している酵素反応液として得られる。本発明では、基質を含む溶液を原料にして酵素反応でD-アロースを含む溶液として得られるD-アロースの製造方法を利用して、D-アロースを分離回収することができ、また連続的に製造することができる。アロースとプシコースを含む溶液から高純度のプシコースを含む溶液を高回収率で分離する方法について検討した結果、原液糖濃度が４０％（全溶液中の重量％、以下同様）以上、アロース組成が２０％（全固形分中の重量％、以下同様）以上の溶液を擬似移動層により連続的にクロマト分離することにより工業的に有効な高純度、高回収率でプシコース溶液を連続的に大量生産できる。
【００１８】
本発明の連続法について、好ましい態様について説明する。
固定化酵素は、例えばL-ラムノースイソメラーゼを共有結合法によって固定化したものを用いる。これは、酵素を菌体から抽出したものを用いる場合は沈殿させた後に、菌体そのものを用いる場合はそのまま、グルタルアルデヒドにより架橋する。これは共有結合が起こり架橋されるもので、これにリジンを添加することでさらに強度が増すこととなる。この固定化法によって、これまで１週間ほどの安定性であったものが数ヶ月の安定性を持つ固定化酵素を得ることができる。L-ラムノースイソメラーゼを共有結合法によって固定化した固定化酵素および／または固定化微生物を使用するバイオリアクターに通液し例えば５０％エタノール溶液中でも安定な固定化酵素を用いたバイオリアクターを構築することができる。５０％エタノール溶液中でも安定な固定化酵素を用いたバイオリアクターを用いて、５０％エタノールを含むD-プシコース溶液を通液することで、反応時は４２℃、結晶化時は４℃と温度をコントロールすることによりD-アロースの結晶を連続的に製造する。結晶化後のろ液をエタノール除去、濃縮することなしにバイオリアクターに再添加する。
【００１９】
本発明の分離回収の原理を説明する。目的希少糖がアロースである例について説明すると、アロースとプシコースを含む、糖濃度が４０％以上、アロース組成が２０％以上の原液から、溶離液として水を用いてアロース画分とプシコース画分とにクロマト分離される。まず、この本発明で用いるクロマト分離法の基本的な概念について説明する。
【００２０】
図４に模式的に示すように、特定の吸着剤１、つまり本発明においてはカルシウム形の強酸性陽イオン交換樹脂が複数の充填層（本発明では充填塔２）に充填され、該複数の充填塔２が直列かつ無端に連結されて原液Ｆおよび溶離液Ｄが循環可能な循環系３が形成される。吸着剤としてのカルシウム形強酸性陽イオン交換樹脂１は、プシコースとアロースに対し選択的吸着能力を有し、プシコースに対しては高い吸着能力を発揮するが、アロースに対しては実質的に非吸着性である。この吸着能力の差に起因して生じる、循環系３内の溶液のプシコースの濃度分布およびアロースの濃度分布を利用し、アロースを多く含むアロース画分Ａとプシコースを多く含むプシコース画分Ｃとが、それぞれ特定の位置から抜き出される。このクロマト分離を連続的に行うには、循環系３内への液の供給位置および循環系３内の定常的な循環流に対して、吸着剤を反循環流方向に相対的に移動させる必要がある。この相対移動は、実際に吸着剤を移動させることでも達成できるが、そうすると各成分の濃度分布がくずれたり、吸着剤に物理的な力が作用して吸着剤の粉砕等の問題が生じるので、各液の供給位置および各画分の抜出位置を一定の関係に保ちながら、順次循環流下流側に間欠的に移行させることにより、吸着剤が移動されたのと同等の効果が得られるようにしたのが、擬似移動層式のクロマト分離である。
【００２１】
このような擬似移動層式のクロマト分離においては、循環系３が、溶離液Ｄの供給部からプシコース画分Ｃの抜出部までのプシコースの脱着帯域４と、プシコース画分Ｃの抜出部から原液Ｆの供給部までのプシコースの濃縮帯域５と（図４におけるＣｎがプシコースの濃縮分布を示している。）、原液Ｆの供給部からアロース画分Ａの抜出部までのプシコースの吸着帯域６と（図４におけるＡｎがアロースの濃度分布を示している。）、アロース画分Ａの抜出部から溶離液Ｄの供給部までのアロースの回収帯域７との４つの帯域に区分される。これら４つの帯域が、各液の供給位置および各画分の抜出位置を図４に示したような位置関係に保ちながら、適切な時間間隔をもって順次下流側に移行されることにより、擬似的に吸着剤の移動層が形成され、擬似移動層式のクロマト分離が行われる。
【００２２】
このような擬似移動層式クロマト分離方法を実施するための、本発明に係る装置の構成例を図５および図６に示す。
【００２３】
図５に示す擬似移動層式クロマト分離装置１１においては、８塔の充填塔１２が設けられ、各充填塔１２内には、原液中に含まれるアロースとプシコースに対し選択的吸着能力を有する吸着剤１３として、カルシウム形強酸性陽イオン交換樹脂が充填されている。各充填塔１２は、配管１４により、各充填塔１２の出口から隣接する充填塔１２の入口へと連結されて、全体として直列に連結されており、最後部の充填塔１２（たとえば、図２におけるＮｏ．８充填塔１２）の出口から最前部の充填塔１２（たとえば、図５におけるＮｏ．１充填塔１２）の入口へと配管１４で連結されることにより、全充填塔１２が無端に連結されている。したがって、この全充填塔１２が無端に連結された系は、流体が矢印方向に循環可能な循環系１５として形成されている。この循環系１５内のいずれか適当な部位に、循環ポンプＰＲが配設されている。また、循環系１５には、循環系１５内の圧力が予め設定した所定圧以上にはならないように、異常高圧逃がし用に安全弁１６（又はリリーフ弁）が設けられている。
【００２４】
上記循環系１５に対し、原液タンク１７に収容されている、アロースとプシコースを含む原液１８が供給される。本実施態様では、原液１８は、原液供給ポンプＰＦにより原液供給ライン１９を介して供給され、供給圧が設定圧以上になるとリリーフ弁２０によってタンク１７に戻される。原液供給ライン１９は、各分岐供給ライン２１に分岐され、原液は各分岐供給ライン２１を介して各充填塔１２の入口側に供給可能となっている。各分岐供給ライン２１には、開閉可能な原液供給弁Ｆ１、Ｆ２、Ｆ３、Ｆ４、Ｆ５、Ｆ６、Ｆ７、Ｆ８が設けられており、開弁された原液供給弁のラインを介して対応する充填塔１２に原液が供給される。
【００２５】
溶離液タンク２２に収容されている溶離液２３（本発明では水）は、本実施態様では、溶離液供給ポンプＰＤにより、溶離液供給ライン２４を介して供給され、供給圧が設定圧以上になるとリリーフ弁２５によってタンク２２に戻される。溶離液供給ライン２４は、各分岐供給ライン２６に分岐され、溶離液は各分岐供給ライン２６を介して充填塔１２の入口側に供給可能となっている。各分岐供給ライン２６には、開閉可能な溶離液供給弁Ｄ１、Ｄ２、Ｄ３、Ｄ４、Ｄ５、Ｄ６、Ｄ７、Ｄ８が設けられており、開弁された溶離液供給弁のラインを介して対応する充填塔１２に溶離液が供給される。
【００２６】
各充填塔１２と、その下流側に位置する充填塔１２との間の配管１４からは、アロース画分抜出ライン２７が分岐され、各抜出ライン２７には、各ラインを開閉可能なアロース画分抜出弁Ａ１、Ａ２、Ａ３、Ａ４、Ａ５、Ａ６、Ａ７、Ａ８が設けられている。各抜出ライン２７は、合流されて一つのアロース画分合流管２８にまとめられている。
【００２７】
同様に、配管１４から、プシコース画分抜出ライン２９が分岐され、各抜出ライン２９には、各ラインを開閉可能なアロース画分抜出弁Ｃ１、Ｃ２、Ｃ３、Ｃ４、Ｃ５、Ｃ６、Ｃ７、Ｃ８が設けられている。各抜出ライン２９は、合流されて一つのプシコース画分合流管３０にまとめられており、ここからプシコース画分が抜き出される。抜き出されたプシコース画分はクロマト分離用原液の製造工程すなわちプシコースの一部をアロースにする反応工程用の原料プシコース溶液収容タンク（図示略）に回収することができる。
【００２８】
このように構成された擬似移動層式クロマト分離装置１１を用いて、本発明に係るアロースの分離方法が実施され、循環系１５に糖濃度が４０％以上、アロース組成が２０％以上の原液と、水からなる溶離液とが供給される。そして、前述の図１に示したような基本的な分離処理操作が行われるように、各弁の開閉が制御されて、本発明に係るアロースの分離方法が実施される。各弁の開閉制御により、各液の供給位置および各画分の抜出位置が所定の位置関係に保たれながら、順次下流側に移行される。この移行が、循環系１５に対し一巡すると、分離処理の１サイクルが終了する。
【００２９】
この１サイクルの動作例を表１に示す。表１には、各弁Ｆ１〜Ｆ８、Ｄ１〜Ｄ８、Ａ１〜Ａ８、Ｃ１〜Ｃ８の開閉制御状態が示されており、表中の数字は各弁の番号を示しており（たとえば、Ｆの項で「１」はＦ１の弁を示している）、その番号が記入されている弁が開弁されることを表している。また、循環ポンプＰＲの項では、丸印は作動オン状態を示しており、本実施態様では基本的に循環ポンプＰＲは分離処理中常時運転されている。
【００３０】
【表４】
2006153591.tif 000006
【００３１】
図６は、本発明の方法に適用可能な別の実施態様に係る擬似移動層式クロマト分離装置を示している。本実施態様では、装置全体の簡素化、小型化がはかられつつ、アロースの高純度、高回収率での分離が可能となっている。
【００３２】
本実施態様に係るクロマト分離装置４１では、充填塔の数が４塔とされており、このクロマト分離装置４１で原液タンク４２からの原液４３の分離処理を行う。クロマト分離装置４１は、４つの充填塔４４（Ｎｏ．１〜Ｎｏ．４充填塔）を備えており、各充填塔４４内には、原液４３中に含まれる特定成分としてのアロースとプシコースに対し選択的吸着能力を有するカルシウム形陽イオン交換樹脂からなる吸着剤４５が充填されている。各充填塔４４は、配管４６により、各充填塔４４の出口から隣接する充填塔４４の入口へと連結されて、全体として直列に連結されており、最後部の単位充填塔４４（たとえば、図６におけるＮｏ．４充填塔４４）の出口から最前部の単位充填塔４４（たとえば、図６におけるＮｏ．１充填塔４４）の入口へと配管４６で連結されることにより、全充填塔４４が無端に連結されている。したがって、この全充填塔４４が無端に連結された系は、流体が矢印方向に循環可能な循環系４７として形成されている。
【００３３】
上記循環系４７内のいずれか適当な部位に、循環ポンプＰＲが配設されている。また、循環系４７内の各隣接充填塔４４間の部位には、それよりも循環方向下流側の充填塔４４に対し循環系４７を遮断可能な遮断弁Ｒ１、Ｒ２、Ｒ３、Ｒ４が設けられている。各遮断弁Ｒ１〜Ｒ４と、その上流側に位置する各充填塔４４の出口との間には、吸着剤４５に対し吸着能力の低いアロースを多く含むアロース画分の抜き出しライン４８がそれぞれ分岐され、各抜き出しライン４８には、各ラインを開閉可能なアロース画分抜出弁Ａ１、Ａ２、Ａ３、Ａ４が設けられている。各抜き出しライン４８は、合流されて一つのアロース画分合流管４９にまとめられている。また、同様に、吸着剤４５に対し吸着能力の高いプシコースを多く含むプシコース画分の抜き出しライン５０がそれぞれ分岐され、各抜き出しライン５０には、各ラインを開閉可能なプシコース画分抜出弁Ｃ１、Ｃ２、Ｃ３、Ｃ４が設けられている。各抜き出しライン５０は、合流されて一つのアロース画分合流管５１にまとめられている。
【００３４】
循環系４７には、循環系４７内の圧力が予め設定した所定圧以上にはならないように、異常高圧逃がし用に安全弁５２（又はリリーフ弁）が設けられている。また、各充填塔４４間には、逆流防止用の逆止弁５３が設けられている。
【００３５】
循環系４７内には、原液４３と、溶離液タンク５４に収容された溶離液５５が供給可能となっている。原液４３は、本実施態様では、供給流量の制御が可能な原液供給ポンプＰＦにより、原液供給ライン５６を介して供給され、供給圧が設定圧以上になるとリリーフ弁５７によって原液タンク４２に戻される。原液供給ライン５６は、各分岐供給ライン５８に分岐され、原液は各分岐供給ライン５８を介して各充填塔４４の入口側に供給可能となっている。各分岐供給ライン５８には、開閉可能な原液供給弁Ｆ１、Ｆ２、Ｆ３、Ｆ４が設けられており、開弁された原液供給弁のラインを介して対応する充填塔に原液が供給される。
【００３６】
溶離液５５は、本実施態様では、供給流量の制御が可能な溶離液供給ポンプＰＤにより、溶離液供給ライン５９を介して供給され、供給圧が設定圧以上になるとリリーフ弁６０によって溶離液タンク５４に戻される。溶離液供給ライン５９は、各分岐供給ライン６１に分岐され、溶離液は各分岐供給ライン６１を介して各充填塔４４の入口側に供給可能となっている。各分岐供給ライン６１には、開閉可能な溶離液供給弁Ｄ１、Ｄ２、Ｄ３、Ｄ４が設けられており、開弁された溶離液供給弁のラインを介して対応する充填塔４４に溶離液が供給される。
【００３７】
このように構成されたクロマト分離装置４１において、分離処理は次のように行われる。すなわち、このクロマト分離装置４１では、５つの工程の運転が可能となっており、そのうち少なくとも第３の工程と、第２または第５の工程を含むように運転される。
【００３８】
第１の工程では、いずれかの遮断弁Ｒが閉じられた状態で、いずれかの原液供給弁Ｆが開かれて溶離液が対応する充填塔４４の入口側から循環系４７内に供給され、そのときのアロース画分の抜き出し位置に相当するアロース画分抜出弁Ａが開かれ、そのアロース画分抜き出しライン４８を通してアロース画分の全量が抜き出される。
【００３９】
第２の工程では、いずれかの遮断弁Ｒが閉じられた状態で、いずれかの溶離液供給弁Ｄが開かれて、溶離液がそれぞれ対応する充填塔４４の入口側から循環系４７内に供給され、そのときのプシコース画分の抜き出し位置に相当するプシコース画分抜出弁Ｃが開かれ、そのプシコース画分抜き出しライン５０を通してプシコース画分の全量が抜き出される。
【００４０】
第３の工程では、いずれかの遮断弁Ｒが閉じられた状態で、いずれかの溶離液供給弁Ｄが開かれて溶離液が対応する充填塔４４の入口側から循環系４７内に供給され、そのときのアロース画分の抜き出し位置に相当するアロース画分抜出弁Ａが開かれ、そのアロース画分抜き出しライン４８を通してアロース画分の全量が抜き出される。
【００４１】
第４の工程では、一切の供給、抜き出し、遮断は行われず、原液と溶離液の混合液が循環系４７内を循環ポンプＰＲにより循環移動され、循環系４７内の液のプシコース画分とアロース画分への分離が促進される。
【００４２】
この擬似移動層式クロマト分離装置４１の運転の一例を、表２に示す。表２には、各弁Ｆ、Ｄ、Ａ、Ｃの開閉制御状態が示されており、表中の数字は各弁の番号を示しており（たとえば、Ｆの項で１はＦ１の弁を示している）、その番号が記入されている弁が開弁されることを表している。空欄の場合には、閉弁の状態を示している。また、遮断弁Ｒの項では、遮断する弁（つまり、閉じる弁）の番号を示している。空欄の場合には全遮断弁Ｒは開かれている。さらに、循環ポンプＰＲの項では、丸印は作動オン状態を示しており、空欄の場合には、作動がオフとされ、循環系４７内での必要な液の移動は循環ポンプＰＲ内のクリアランスを介して行われ、そのときの液の抜き出しは、溶離液供給ポンプＰＤまたは／および原液供給ポンプＰＦの吐出圧を利用して行われる。
【００４３】
表２において、工程Ｎｏ．１−１〜１−４から工程Ｎｏ．４−１〜４−４までが、本クロマト分離装置４１における分離処理の１サイクルを示している。
【００４４】
【表５】
2006153591.tif 000007
【００４５】
工程Ｎｏ．１−１〜１−４についてみるに、工程１−１では、遮断弁Ｒ２が閉じられ、原液供給弁Ｆ１が開かれて原液が循環系４７内に供給されるとともに、アロース画分抜出弁Ａ１が開かれて、そこからアロース画分の全量が抜き出される。したがって、この工程１−１は前述の第１の工程に相当している。
【００４６】
工程１−２では、遮断弁Ｒ２が閉じられ、溶離液供給弁Ｄ３が開かれて溶離液が循環系４７内に供給されるとともに、プシコース画分抜出弁Ｃ３が開かれて、そこからプシコース画分の全量が抜き出される。したがって、この工程１−２は前述の第２の工程に相当している。
【００４７】
工程１−３では、弁Ｄ３が開かれ遮断弁Ｒ２が閉じられて、循環系４７内に溶離液が供給されるとともに、アロース画分抜出弁Ａ１が開かれて、そこからアロース画分の全量が抜き出される。したがって、この工程１−３は前述の第３の工程に相当している。
【００４８】
工程１−４では、弁Ｆ、Ｄ、Ａ、Ｃは全て閉じられるとともに、遮断弁Ｒは全て開かれ、循環ポンプＰＲが作動されて、循環系４７内の液が循環移動されてプシコース画分、アロース画分への分離が促進される。したがって、この工程１−４は前述の第４の工程に相当している。
【００４９】
以上の一連の工程１−１〜１−４は、原液、溶離液の供給位置、プシコース画分、アロース画分の抜き出し位置、および循環系４７の遮断位置が、ある特定の位置関係をもって実行され、これら一連の工程１−１〜１−４が終了すると、その特定の位置関係を維持しつつ、各制御対象弁の位置が下流側に一つ移行され、次の一連の工程２−１〜２−４が実行される。この移行を順次行うことにより、擬似移動層式クロマト分離装置としての作動が成立する。
【００５０】
工程２−１〜２−４、工程３−１〜３−４、工程４−１〜４−４では、上記の如く各弁の位置が一つずつ移行された状態にて、上記工程１−１〜１−４と同様の運転が実行される。工程１−１〜４−４までが実行されると、分離処理の１サイクルが終了する。
【００５１】
上記分離処理においては、原液供給ポンプＰＦおよび溶離液供給ポンプＰＤは、定流量供給制御としてもよいし、流量制御を行ってもよい。流量制御を行う場合には、たとえば溶離液のみの供給から、溶離液と原液の両液の供給に移行する場合、トータルの供給量を一定にするような制御を行うこともでき、より高精度の分離が可能となる。
【００５２】
さらに、第３の工程が必須とされることで、溶離液が循環系４７内を循環されて、少ない充填塔数でありながら、プシコース画分、アロース画分への十分に高い分離効率が容易に達成される。
【実施例１】
【００５３】
［L-ラムノースイソメラーゼの調製］
D-プシコースからD-アロースの生産は、Pseudomonas stutzeri LL172の生産するL-ラムノースイソメラーゼをグルタルアルデヒドを用いた架橋法で固定化酵素を作成した。Pseudomonas stutzeri LL172は、日本国独立行政法人産業技術総合研究所  特許生物寄託センター（日本国茨城県つくば市東１−１−１  中央第６）に２００４年１月６日に国際寄託している（IPOD FERM BP-08593）。上記段落番号００１０参照。
【００５４】
［アロースの製造］
５０％Ｄ−プシコースを含有する溶液（１mM MnCl2を含むグリシン緩衝液pH９に溶解したもの）100mlに上記の固定化L-ラムノースイソメラーゼ（約20000単位の固定化酵素）を作用させて、Ｄ−アロースとＤ−プシコースを生成せしめ、酵素反応液を得る。この反応液はD-アロース３０．２４０％、D-プシコース６８．４４３％、その他反応時の副産物、１．３１６％よりなる全糖濃度５０％のD-アロース原液として得られる。
【００５５】
［アロースの分離］
図３に示した擬似移動層式クロマト分離装置４１を用いて、D-アロース３０．２４０％、D-プシコース６８．４４３％、その他反応時の副産物、１．３１６％よりなる全糖濃度５０％のD-アロース原液を分離した。No.１〜No.４の各充填塔４４は内径２８ｍｍ、高さ１．０ｍの円筒形とし、各充填塔４４にはカルシウム形の強酸性陽イオン交換樹脂”アンバーライト”CR１３１０（ロースアンドハース社製）を２．４６L充填した。充填塔４４内は約６０℃に保持した。この擬似移動層においてD-アロース原液および遊離液としての水の供給量を（１サイクル当たりの供給量）をそれぞれ以下の条件で運転した。
【００５６】
D-アロース原液              ：３６０ｍｌ
水供給量                    ：１９８０ｍｌ
D-アロース画分抜出液          ：５４０ｍｌ
D-フラクトース画分抜出液    ：１８００ｍｌ
循環量                      ：１５４８ｍｌ
１サイクル当たりの時間      ：３．８６７ｈ
【００５７】
【表６】
2006153591.tif 000008
【００５８】
定常状態において抜き出されたD-アロース画分およびD-プシコース画分の糖組成は上記表に示した。D-アロース画分中のD-アロースの回収率は８３．７％であった。
【図面の簡単な説明】
【００５９】
【図１】イズモリングを用いて示した、Ｌ−ラムノースイソメラーゼが触媒するヘキソースの異性化反応である。太い黒線が触媒することが確認された異性化反応である。太い点線が触媒反応が確認されなかった異性化反応である。
【図２】イズモリングを用いて示した、Ｌ−ラムノースイソメラーゼが触媒するペントースの異性化反応である。太い黒線が触媒することが確認された異性化反応である。全ての異性化反応が確認された。
【図３】イズモリングを用いて示した、Ｌ−ラムノースイソメラーゼが触媒するテトロースの異性化反応である。太い黒線が触媒することが確認された異性化反応である。全ての異性化反応が確認された。
【図４】本発明で適用する擬似移動層式クロマト分離方法の説明図である。
【図５】本発明の一実施態様に係るアロースの分離方法を実施するためのクロマト分離装置の機器系統図である。
【図６】本発明の別の実施態様に係るアロースの分離方法を実施するためのクロマト分離装置の機器系統図である。
【符号の説明】
【００６０】
１  吸着剤
２  充填塔（充填層）
３  循環系
４  プシコースの脱着帯域
５  プシコースの濃縮帯域
６  プシコースの吸着帯域
７  アロースの回収帯域
Ａ  アロース画分
Ｃ  プシコース画分
Ｄ  溶離液
Ｆ  原液
１１、４１ クロマト分離装置
１２、４４ 充填塔
１３、４５ 吸着剤
１４、４６ 配管
１５、４７ 循環系
１７、４２ 原液タンク
１８、４３ 原液
１９、５６ 原液供給ライン
２１、５８ 原液分岐供給ライン
２２、５４ 溶離液タンク
２３、５５ 溶離液
２４、５９ 溶離液供給ライン
２６、６１ 溶離液分岐供給ライン
２７、４８ アロース画分抜出ライン
２８、４９ アロース画分合流管
２９、５０ プシコース画分抜出ライン
３０、５１ プシコース画分合流管
ＰＲ 循環ポンプ
Ａ１、Ａ２、Ａ３、Ａ４、Ａ５、Ａ６、Ａ７、Ａ８ アロースの画分抜出弁
Ｃ１、Ｃ２、Ｃ３、Ｃ４、Ｃ５、Ｃ６、Ｃ７、Ｃ８ プシコースの画分抜出弁
ＰＦ 原液供給ポンプ
ＰＤ 溶離液供給ポンプ
Ｆ１、Ｆ２、Ｆ３、Ｆ４、Ｆ５、Ｆ６、Ｆ７、Ｆ８ 原液供給弁
Ｄ１、Ｄ２、Ｄ３、Ｄ４、Ｄ５、Ｄ６、Ｄ７、Ｄ８ 溶離液供給弁
Ｒ１、Ｒ２、３、Ｒ４ 遮断弁
【図４】
2006153591.tif 000009
【図５】
2006153591.tif 000010
【図６】
2006153591.tif 000011
【図１】
2006153591.tif 000012
【図２】
2006153591.tif 000013
【図３】
2006153591.tif 000014
【配列表】
2006153591000001.app